(57)【要約】      （修正有）【課題】容易に持ち歩くことができ、かつ、簡単に配置することができる飛沫防止パネルを提供する。【解決手段】飛沫防止パネルは、複数のパネル部１１と、各パネル部１１を着脱可能に連結する連結部１２とを備えている。パネル部１１は、板状であり、２対の対向する側辺部を有している。パネル部１１は、例えば、プラスチックダンボール、アクリル板、又は、電磁波遮断板により構成することが好ましい。パネル部１１には、少なくとも１対の側辺部に沿って、貫通孔１１Ａが設けられている。連結部１２は、各パネル部１１を貫通孔１１Ａにおいて着脱可能に連結するものであり、例えば、スパイラルチューブにより構成することが好ましい。【選択図】図４
0003233565.tif 000002
【実用新案登録請求の範囲】
【請求項１】
板状であり、２対の対向する側辺部を有し、少なくとも１対の側辺部に沿って貫通孔が設けられた複数のパネル部と、
前記各パネル部を前記貫通孔において着脱可能に連結する連結部と
を備えたことを特徴とする飛沫防止パネル。
【請求項２】
前記連結部は、スパイラルチューブよりなることを特徴とする請求項１記載の飛沫防止パネル。
【請求項３】
前記パネル部は、プラスチックダンボール、アクリル板、又は、電磁波遮断板よりなることを特徴とする請求項１又は請求項２記載の飛沫防止パネル。
【考案の詳細な説明】
【技術分野】
【０００１】
本考案は、隣接する人同士の間における飛沫の飛散を予防する飛沫防止パネルに関する。
【背景技術】
【０００２】
新型コロナウイルスの飛沫感染等の予防対策として、透明アクリル板をテーブル等の卓上に載置して使用する飛沫防止パネルが提案されている（特許文献１参照）。この飛沫防止パネルは、例えば、矩形平板状の透明アクリル板と、この透明アクリル板を立てた状態に保持するスタンドとを有している。このような飛沫防止パネルは、通常、机などの上に常設して用いるものであり、持ち歩いたり、必要な時だけ設置して用いる場合には適していないという問題があった。
【先行技術文献】
【特許文献】
【０００３】
【特許文献１】実用新案登録第３２２９９８８号公報
【考案の概要】
【考案が解決しようとする課題】
【０００４】
本考案は、このような問題に基づきなされたものであり、容易に持ち歩くことができ、かつ、簡単に配置することができる飛沫防止パネルを提供することを目的とする。
【課題を解決するための手段】
【０００５】
本考案の飛沫防止パネルは、板状であり、２対の対向する側辺部を有し、少なくとも１対の側辺部に沿って貫通孔が設けられた複数のパネル部と、各パネル部を貫通孔において着脱可能に連結する連結部とを備えたものである。
【考案の効果】
【０００６】
本考案の飛沫防止パネルによれば、各パネル部を貫通孔において連結部により着脱可能に連結するようにしたので、各パネル部を目的に応じて自由に組み合わせることができると共に、簡単に配置して使用することができる。また、連結部において各パネル部を重ね合わせるように折り畳んだり、連結部を取り外して各パネル部を重ね合わせることにより、大きさを小さくすることができ、容易に持ち運んだり、保管することができる。
【０００７】
更に、連結部をスパイラルチューブにより構成するようにすれば、簡単に着脱することができ、かつ、見た目もよく各パネル部を連結することができる。
【図面の簡単な説明】
【０００８】
【図１】本考案の一実施の形態に係る飛沫防止パネルの構成を表す図である。
【図２】図１に示した飛沫防止パネルのパネル部の構成を表す図である。
【図３】図１に示した飛沫防止パネルの連結部の構成を表す図である。
【図４】パネル部の連結状態を表す図である。
【図５】飛沫防止パネルの他の連結例を表す図である。
【考案を実施するための形態】
【０００９】
以下、本考案の実施の形態について、図面を参照して詳細に説明する。
【００１０】
図１は、本実施の形態に係る飛沫防止パネル１０の構成を表すものである。図２は、飛沫防止パネル１０のパネル部１１の構成を拡大して表すものである。図３は、飛沫防止パネル１０の連結部１２の構成を拡大して表すものである。この飛沫防止パネル１０は、複数のパネル部１１と、各パネル部１１を着脱可能に連結する少なくとも１つの連結部１２とを備えている。
【００１１】
パネル部１１は、板状であり、２対の対向する側辺部を有している。パネル部１１の平面形状は、例えば、矩形状であり、角部は丸められていてもよい。各パネル部１１の大きさは、例えば、Ｂ４サイズ程度とすることが好ましい。飛沫を防止するためのある程度の大きさを確保することができ、かつ、容易に持ち運びできるからである。
【００１２】
パネル部１１は、例えば、プラスチックダンボール又はアクリル板により構成することが好ましい。軽量で丈夫であるからである。特に、プラスチックダンボールにより構成するようにすれば、軽くすることができるので好ましい。パネル部１１は、透明でも、半透明でも、不透明でもよく、また、無色でも、有色でもよい。材質や透明度や色等は、目的や好みにより選択することができる。また、パネル部１１は、例えば、電磁波遮断板により構成するようにしてもよい。パソコン等から発生する人体に有害とされる電磁波を軽減することができるからである。電磁波遮断板は、電磁波を遮断することができればどのようなものでもよく、例えば、プラスチック板の表面に電磁波シールド層が設けられたものが好ましく挙げられる。各パネル部１１は、全て同一のものを用いる必要はなく、材質や透明度や色等が異なるものを組み合わせて用いるようにしてもよい。
【００１３】
パネル部１１には、少なくとも１対の側辺部に沿って、貫通孔１１Ａが設けられている。例えば、貫通孔１１Ａは、側辺部の近傍において、側辺部から所定の間隔を開けて、側辺部に沿って設けられていることが好ましい。貫通孔１１Ａは、各パネル部１１を連結部１２により連結するためのものである。パネル部１１の大きさが例えばＢ４サイズである場合には、少なくとも長さが長い方の１対の側辺部に貫通孔１１Ａを設けることが好ましい。パネル部１１を連結し立てて用いる場合に、高さを高くすることができるからである。
【００１４】
なお、図１及び図２では、１対の側辺部に沿って貫通孔１１Ａを設け、他の１対の側辺部には貫通孔１１Ａを設けない場合を示したが、他の１対の側辺部にも貫通孔１１Ａを設けるようにしてもよい。すなわち、２対の側辺部の全てに貫通孔１１Ａを設けるようにしてもよい。１対の側辺部と他の１対の側辺部の長さが異なる場合には、連結する側辺部を選ぶことにより、パネル部１１を立てた時の高さを変えることができるからである。
【００１５】
１つの側辺部における貫通孔１１Ａの数は、１個でもよいが、複数とすることが好ましく、２個でも３個以上でもよい。パネル部１１の大きさに応じて設定することができる。また、１対の側辺部における貫通孔１１Ａの数は、各側辺部で互いに同一でも、異なっていてもよい。更に、２対の側辺部の全てに貫通孔１１Ａを設ける場合には、各側辺部で貫通孔１１Ａの数が互いに同一でも、異なっていてもよい。
【００１６】
貫通孔１１Ａの形状は、特に限定されるものではないが、側辺部の長さ方向に延長して形成されることが好ましい。すなわち、側辺部の長さ方向を長さ方向、それに対して垂直な方向を幅方向とすると、幅方向によりも長さ方向の方が長い長方形、又は、その角部を丸めた形状とすることが好ましい。連結部１２により安定して連結することができるからである。
【００１７】
連結部１２は、各パネル部１１を貫通孔１１Ａにおいて着脱可能に連結するものであり、例えば、スパイラルチューブにより構成することが好ましい。簡単に着脱することができ、かつ、見た目もよく連結することができるからである。スパイラルチューブは、例えば、プラスチック製のチューブに螺旋状のスリットが入っているもの、又は、プラスチック製の帯状部材を螺旋状に巻いて管状としたものである。連結部１２の長さは、任意に決定することができるが、例えば、スパイラルチューブの１巻以上の長さとすることが好ましい。１巻よりも短いと十分な連結強度を得ることが難しいからである。また、連結部１２の長さは、例えば、スパイラルチューブの３巻以下の長さとすることが好ましい。３巻よりも長くすると連結するのに手間がかかるからである。例えば、連結部１２の長さは、０．８ｃｍから３ｃｍ程度とすることが好ましい。
【００１８】
この飛沫防止パネル１０は、例えば、次のようにして用いることができる。まず、例えば、図４に示したように、２枚のパネル部１１を用意し、貫通孔１１Ａを対応させて重ね合わせるか、又は、貫通孔１１Ａを対応させて隣接させ、連結する貫通孔１１Ａに連結部１２を取り付ける。具体的には、例えば、スパイラルチューブの切れ目を利用して、連結する貫通孔１１Ａに連結部１２を回し入れ、２つの貫通孔１１Ａを連結する。３枚以上のパネル部１１を連結する場合には、これを繰り返して連結する。各パネル部１１は、連結部１２において自由に連結角度を変えることができるので、例えば、図１に示したように、４枚のパネル部１１を連結した場合には、両側のパネル部１１を手前に曲げることにより、各パネル部１１を立てた状態で安定して配置することができる。
【００１９】
また、パネル部１１は、希望に応じて、連結部１２により連結する枚数及び形を自由に変えるようにしてもよい。例えば、図５に示したように、５枚以上のパネル部１１を連結してもよく、また、同一箇所で３枚以上のパネル部１１を連結してもよい。なお、図５はパネル部１１を立てて上から見た状態を表している。
【００２０】
更に、使用する環境に応じて、パネル部１１の種類を選択してもよい。例えば、前側のパネル部１１を透明とし、横側のパネル部１１を半透明又は不透明とすれば、横の視線を遮断し、前側に集中するようにすることが可能である。
【００２１】
更に、持ち運んだり保管する際には、例えば、連結部１２において各パネル部１１を重ね合わせるように折り畳むか、又は、連結部１２を取り外して各パネル部１１を重ね合わせれば、大きさを小さくすることができる。よって、学生等が持ち歩き、学校の机の上等に必要に応じて配置して用いることが可能となる。
【００２２】
このように本実施の形態によれば、各パネル部１１を貫通孔１１Ａにおいて連結部１２により着脱可能に連結するようにしたので、各パネル部１１を目的に応じて自由に組み合わせることができると共に、簡単に配置して使用することができる。また、連結部１２において各パネル部１１を重ね合わせるように折り畳んだり、連結部１２を取り外して各パネル部１１を重ね合わせることにより、大きさを小さくすることができ、容易に持ち運んだり、保管することができる。
【００２３】
更に、連結部１２をスパイラルチューブにより構成するようにすれば、簡単に着脱することができ、かつ、見た目もよく各パネル部を連結することができる。
【００２４】
以上、実施の形態を挙げて本考案を説明したが、本考案は上記実施の形態に限定されるものではなく、種々変形可能である。例えば、上記実施の形態では、各構成要素について具体的に説明したが、全ての構成要素を備えていなくてもよく、また、他の構成要素を備えていてもよい。
【００２５】
また、上記実施の形態では、連結部１２をスパイラルチューブにより構成する場合について説明したが、面ファスナーやクリップ等により構成するようにしてもよい。
【符号の説明】
【００２６】
１０…飛沫防止パネル、１１…パネル部、１１Ａ…貫通孔、１２…連結部
【図１】
0003233565.tif 000003
【図２】
0003233565.tif 000004
【図３】
0003233565.tif 000005
【図４】
0003233565.tif 000006
【図５】
0003233565.tif 000007